(57)【要約】【課題】釣り糸の絡みを防止するため、釣り人が釣り糸のねじれを視認できる釣り糸を提供する。また、釣り人が釣り糸を繰り出した長さとねじれを視認できる釣り糸を提供する。【解決手段】糸表面から着色することにより、糸長手軸に沿って糸表面を２種類以上の色で色別する。また、糸表面から着色することにより、糸長手軸に沿って糸表面を２種類以上の色で色別し、一定長さ毎に色別の色の種類を変える。【選択図】図１
2020178677.tif 000002
【特許請求の範囲】
【請求項１】
糸表面から着色することにより、糸長手軸に沿って糸表面を２種類以上の色で色別した釣り糸。
【請求項２】
糸表面から着色することにより、糸長手軸に沿って糸表面を２種類以上の色で色別し、糸一定長さ毎に色別の色の種類を変えた釣り糸。
【請求項３】
マルチフィラメントからなる特許請求項１及び特許請求項２に記載の釣り糸。
【発明の詳細な説明】
【技術分野】
【０００１】  本発明は、釣り糸の絡み防止に関するものである。
【背景技術】
【０００２】    釣りをするとしばしば釣り糸がリールや釣り竿のガイド（４９）に絡まり、また糸自体が絡まる。釣り糸の絡みは、時間損失と釣り竿や釣り糸の損失につながるため、糸の絡みを低減する技術の発展は釣り人が強く望むところである。釣り糸の絡みの根本的な原因は、釣り糸のねじれに起因するものである。釣り糸は、スピニングリールを用いて釣り糸の繰り出し・巻き取りを行うとねじれが発生し、その繰り返しによりねじれが増加すると、糸の張力がなくなる時に、釣り糸内部のねじれ応力を緩和しようとして、糸よれ（２１）が発生する。この糸よれがリールや釣り竿に絡み、また糸自体の絡みとなる。従って、糸のねじれを取り除いてやれば、糸の絡みは激減する。【０００３】  最近釣り人の間で図４に示す様に、おもりをつけた釣り糸を水中に投入して、釣り竿（４７）を長手軸中心にねじれが戻る方向（通常は時計回り）に回転することで、ねじれを減す方法が考案された。この方法は釣りの際中いつでも手軽に行えて便利であるが、釣り糸は細く均一な色であるため、ねじれの状態が見えず正確にねじれを戻すことはできない。従って、糸のねじれがわかる釣り糸があれば、上記の方法で適切にねじれを戻すことが可能になり、ねじれによる糸の絡みは激減すると出願者は考える。【０００４】  特許公報  昭４５−１４８６４は「２種あるいはそれ以上の異なった種類の色に着色された熱可塑性合成重合体よりなる隣接型の複合モノフィラメントよりなるテグス」を提案している。このモノフィラメント釣り糸はねじれが発生すると、釣り人は釣り糸のねじれを視認できるとされているが、異なった２色の半透明重合体を貼り合わせているため、２色が混色された外観となりねじれを視認することは困難である。【０００５】  次に、糸のねじれを視認できるマルチフィラメント釣り糸は提案されていない。代表的なマルチフィラメント釣り糸である、超高分子量ポリエチレン繊維を撚糸したマルチフィラメント釣り糸は、代表的なモノフィラメントであるナイロンに対し強度が約３倍、伸びがナイロン約２６％に対し約４％と言われ、強度が高く、伸びが小さい特徴を有する優れた釣り糸で近年需要が増加している。このため、糸のねじれを視認できるマルチフィラメント釣り糸の開発が望まれる。
【先行技術文献】
【特許文献】
【０００６】
【特許文献１】特許公報  昭４５−１４８６４
【発明の概要】
【発明が解決しようとする課題】
【０００７】  本発明は、糸のねじれを明確に視認できる釣り糸を提供し、［０００３］の方法を用いて釣り糸のねじれを適切に戻すことを可能にするものである。
また、糸のねじれと糸の繰り出し長さを同時に視認できる釣り糸を提供することである。【０００８】  特許公報  昭４５−１４８６４が提案するモノフィラメント釣り糸は、着色が薄くまた色別の色のコントラストが小さいため、ねじれを視認し難い課題がある。
着色モノフィラメント釣り糸は透明な重合体原液に着色剤を混ぜて着色するが、糸の強度および伸度の観点から着色剤の添加量が制約されるため、薄い色を帯びた半透明重合体となる。人が着色モノフィラメント釣り糸を見る場合、主にモノフィラメントを通過して届く透過光を見ることになる。例えば代表的なモノフィラメントであるナイロンは屈折率が１．５３、空気の屈折率が１であるため、図９に示すように糸の反対側（９３）から観察者（９２）へと届く透過光（９５）と観察者側（９４）から観察者（９２）へと届く透過光（９５）の合成透過光を観察することになる。透過光の強さは入射角により変化し、色の濃さは透過距離により変化するため、観察者に届く光の強さと色の濃さは円周部位毎に変化する。
特許公報  昭４５−１４８６４が提案するモノフィラメント釣り糸は、異なる薄い色を帯びた半透明重合体を貼り合わせた釣り糸であるため、図１０に示すように、観察者はａ色の重合体（１０６）の透過光とｂ色の重合体（１０７）の透過光の混色を見ることになり、光の入射角によりａ色の重合体の透過距離とｂ色の重合体の透過距離が変化するため円周部位毎に混色は変化する。図１０、図１１、図１２、図１３、図１４は釣り糸のねじれ回転を想定して異なる色の重合体接合面を４５°毎に変えた図を示す。観察者から見た重合体接合面角度によりａ色の重合体（１０６）の透過距離とｂ色の重合体（１０７）の透過距離が変化する。以上の様に観察者には光の入射角毎、重合体接合面の角度毎に混色された光が糸の円周部位毎に迷彩模様の様に届く。しかし釣り糸は細いもので０．１ｍｍであるため、円周部位の色の変化は人の目の分解能の限界より小さくなるため、円周部位毎の細かい色の変化を認識することができず、円周長片側のａ色の平均強さとｂ色の平均強さの混色光として認識することとなる。例えば、薄赤を帯びた半透明重合体と薄青を帯びた半透明重合を貼り合わせた場合、重合体接合面の角度により（ねじれ回転角度により）薄赤紫、薄紫、薄青紫を帯びた半透明の釣り糸として観察され、着色が薄く色別の色のコントラストが小さくなるため、ねじれを視認し難い。【０００９】  また、特許公報  昭４５−１４８６４のモノフィラメント釣り糸は、原液段階で着色するため、１本の釣り糸内で色の種類を容易にかつ正確な長さに変更できない課題がある。【００１０】  糸のねじれを視認できるマルチフィラメント釣り糸は提案されていない。
また、特許公報  昭４５−１４８６４が提案するモノフィラメント釣り糸は、原料重合体にそれぞれ異なる色の着色剤をまぜて、異なる色の原液を製造後熱間で接合し、その後冷却・延伸することにより製造される。しかし、マルチフィラメント釣り糸の基本構成は、図１５の一例の様に直径約１０μｍの超高分子量ポリエチレンモノフィラメント原糸（１５２）から構成され、マルチフィラメント釣り糸の太さに応じ、数１０本から数１００本の原糸（１５２）を組紐または撚糸して製造するため、特許公報  昭４５−１４８６４の製造方法ではマルチフィラメント釣り糸にねじれを視認できる着色ができない課題がある。
【課題を解決するための手段】
【００１１】  糸表面から着色することにより、糸長手軸に沿って糸表面を２種類以上の色で色別した釣り糸。【００１２】  糸表面から着色することにより、糸長手軸に沿って糸表面を２種類以上の色で色別し、糸一定長さ毎に色別の色の種類を変えた釣り糸。【００１３】  糸表面から着色することにより、糸長手軸に沿って糸表面を２種類以上の色で色別した、マルチフィラメント釣り糸。【００１４】  糸表面から着色することにより、糸長手軸に沿って糸表面を２種類以上の色で色別し、糸一定長さ毎に色別の色の種類を変えた、マルチフィラメント釣り糸。
【発明の効果】
【００１５】  糸の表面着色を直接見るため、ねじれの色別を明瞭に視認できる釣り糸が提供できる。例えば、色別色を赤と青にした場合、図３の様に糸のねじれが１回転すると必ず観察者から見える片側円周長が全て赤になる部位と全て青になる部位が現れ、コントラストな色別色が観察されるため、ねじれ色別の視認性に優れた釣り糸を提供できる。【００１６】  また、糸長手軸に沿って糸表面を２種類以上の色に色別し、糸一定長さ毎に色別の色の種類を変更することにより糸の繰り出し長さと糸のねじれを視認できる釣り糸が提供できる。【００１７】  マルチフィラメント釣り糸の基本構成は図１５の一例に示すように、無色透明・直径約１０μｍのモノフィラメントを原糸（１５２）とし、マルチフィラメント釣り糸の太さに応じ、数１０本から数１００本の原糸（１５２）を組紐または撚糸した糸である。このため、釣り糸に入射する光は、多数の原糸で入射・屈折・反射を繰り返し散乱するため、モノフィラメント釣り糸の様に透過光は観察されず、マルチフィラメント釣り糸表面は白色となる。白色表面に着色するため色別色を鮮明に着色でき、糸表面の着色を直接見るためねじれ色別の視認性に優れたマルチフィラメント釣り糸を提供できる。【００１８】  マルチフィラメント釣り糸は表面から着色すると、着色液は微細径原糸の間隙から浸透し内層まで着色されるため、耐久性のある色別色をもつマルチフィラメント釣り糸を提供できる。マルチフィラメント釣り糸の表面は凹凸があるため、釣り糸を長期間使用した時も、表面凹部は釣り竿のガイド（４９）等に接触しないため着色は摩耗し難く、また表面凸部の着色が接触摩耗した場合は、内層の着色が留まっており、透明な原糸を透過して内層の色別色が糸表面に見えるため、色別機能は低下しない。
【図面の簡単な説明】
【００１９】
【図１】釣り糸長手軸に垂直な断面の色別を示す概念図
【図２】糸よれの概念図
【図３】釣り糸にねじれが発生した時の色別した糸の状態を示す概念図
【図４】釣り糸のねじれを戻す方法を示す概念図
【図５】糸長手軸に沿って色別した釣り糸の概念図
【図６】色別の色の種類を一定長さ毎に変更した釣り糸の概念図
【図７】色別の色の種類を一定長さ毎に変更し１色を共通にした釣り糸の概念図
【図８】インクジェットを用いて着色する概念図
【図９】ナイロンモノフィラメント釣り糸長手軸に垂直な断面の光の経路を示す図
【図１０】異なる色のナイロンを貼り合わせた釣り糸長手軸に垂直な断面の光の経路を示す図（観察者視線と接合面角度が９０°）
【図１１】異なる色のナイロンを貼り合わせた釣り糸長手軸に垂直な断面の光の経路を示す図（観察者視線と接合面角度が４５°）
【図１２】異なる色のナイロンを貼り合わせた釣り糸長手軸に垂直な断面の光の経路を示す図（観察者視線と接合面角度が０°）
【図１３】異なる色のナイロンを貼り合わせた釣り糸長手軸に垂直な断面の光の経路を示す図（観察者視線と接合面角度が−４５°）
【図１４】異なる色のナイロンを貼り合わせた釣り糸長手軸に垂直な断面の光の経路を示す図（観察者視線と接合面角度が−９０°）
【図１５】マルチフィラメント釣り糸長手軸に垂直な断面の構造概念図
【発明を実施するための形態】
【００２０】  着色は糸表面にインクジェット又はスプレー又は着色液を糸に接触する方法で行う。図１、図５に示す様に糸長手軸に沿って糸表面を２種類以上の色に色別する。色別幅は糸円周長の１０％から９０％の範囲とする。片側毎に２色に着色する５０％が最も視認しやすい。また、１色は糸の地色、即ち着色をしない場合もある。
【００２１】  また、糸表面に着色するため、色の種類を容易にかつ正確に変更できる。糸長手軸に沿って糸表面を２種類以上の色に色別し、糸一定長さ毎に色別の色の種類を変更する。色別の色の種類の変更は図６に示すように一定長さ毎に変更してもよいし、図７に示す様に１色は共通色（７１ｂ）としてもよい。
【００２２】  釣り糸の色別方法の一例を説明する。図８に示すように、糸（８１）を長手方向に移動しながら、糸長手軸に垂直に配置したインクジェットノズル（８３）より、糸円周長の約５０％をａ色（８１ａ）に着色する。反対側（８１ｂ）は糸の地色としてもよいし、糸の反対側に配置したインクジェットノズル（８５）によりｂ色（８１ｂ）に着色してもよい。糸の微小な振動、たわみに対しても正確かつ安定して色別を行うことが可能である。
【００２３】  インクジェットは着色剤の色の変更を容易にできるので、糸の一定長さ毎に色別の色を変更することも可能である。例えば１０ｍ毎に色別の色の種類を変更すれば、１０ｍ単位で繰り出した糸の長さが分かる。
【００２４】  色別の色は、黒、透明、白、赤、ピンク、オレンジ、黄、黄緑、緑、水色、青、紫、茶から選択するとよい。また望ましくは、光を透過しない塗料をぬることで、光はフィラメントの中に入らず、いっそう視認性は向上する。マルチフィラメント釣り糸を色別する場合、白（地色）とその他の色の組み合わせが、視認性および着色作業効率の面で有利である。
【００２５】  マルチフィラメン釣り糸の原糸に用いられる素材は、ポリエチレン、ポリエステル、ナイロン（ポリアミド）、ポリフッ化ビニリデンなどが単独または混合して用いられる。特に、超高分子量ポリエチレン繊維は強度が高いためマルチフィラメント釣り糸の原糸として現在広く用いられる。
【００２６】  次に本発明の使用例を説明する。出願者は超高分子量ポリエチレンからなるマルチフィラメント釣り糸に長手軸に沿って２種類の色で色別を行い、実際に海で釣り糸の繰り出し・巻き取りを行った。繰り返し回数約３００回、糸繰り出し長さは平均で約５５ｍであった。この試験中、糸のねじれが徐々に増加することを視認できた。また、試験終了時のねじれの量は糸先端（おもり側）から５ｍの位置では糸長さ１２ｃｍ間隔で１回転、糸先端から３３ｍの位置では糸長さ８ｃｍ間隔で１回転、糸先端から５５ｍの位置では糸長さ２ｃｍ間隔で１回転のねじれを測定した。糸のねじれ量は糸の部位により異なることを確認した。本発明は、釣りの際中いつでも糸のねじれを視認でき、図４の方法によりねじれの状態が部位毎に異なるねじれを適切に戻せることを確認した。
【符号の説明】
【００２７】１１    釣り糸
１１ａ  ａ色部
１１ｂ  ｂ色部
２１    糸よれ
３１    ねじれた釣り糸
４１    釣り糸
４３    スピニングリール
４５    釣り人の手
４７    釣り竿
４９    ガイド
５１    釣り糸
５１ａ  ａ色部
５１ｂ  ｂ色部
６１    釣り糸
６１ａ  ａ色部
６１ｂ  ｂ色部
６１ｃ  ｃ色部
６１ｄ  ｄ色部
６１ｅ  ｅ色部
６１ｆ  ｆ色部
７１    釣り糸
７１ａ  ａ色部
７１ｂ  ｂ色部
７１ｃ  ｃ色部
７１ｅ  ｅ色部
８１    釣り糸
８１ａ  ａ色部
８１ｂ  ｂ色部
８３    インクジェットノズル
８５    インクジエットノズル
９１    モノフィラメント釣り糸（ナイロン）
９２    観察者
９３    釣り糸反対側から釣り糸に屈折入射する光
９４    観察者側から釣り糸に屈折入射する光
９５    観察者に届く光
１０６  ａ色の重合体（ナイロン）
１０７  ｂ色の重合体（ナイロン）
１１６  ａ色の重合体（ナイロン）
１１７  ｂ色の重合体（ナイロン）
１２６  ａ色の重合体（ナイロン）
１２７  ｂ色の重合体（ナイロン）
１３６  ａ色の重合体（ナイロン）
１３７  ｂ色の重合体（ナイロン）
１４６  ａ色の重合体（ナイロン）
１４７  ｂ色の重合体（ナイロン）
１５１  マルチフィラメント
１５２  マルチフィラメント原糸
【図１】
2020178677.tif 000003
【図２】
2020178677.tif 000004
【図３】
2020178677.tif 000005
【図４】
2020178677.tif 000006
【図５】
2020178677.tif 000007
【図６】
2020178677.tif 000008
【図７】
2020178677.tif 000009
【図８】
2020178677.tif 000010
【図９】
2020178677.tif 000011
【図１０】
2020178677.tif 000012
【図１１】
2020178677.tif 000013
【図１２】
2020178677.tif 000014
【図１３】
2020178677.tif 000015
【図１４】
2020178677.tif 000016
【図１５】
2020178677.tif 000017
【手続補正書】
【提出日】令和2年2月12日(2020.2.12)
【手続補正１】
【補正対象書類名】明細書
【補正対象項目名】０００３
【補正方法】変更
【補正の内容】
【０００３】  最近釣り人の間で図４に示す様に、おもりをつけた釣り糸を水中に投入して、釣り竿（４７）を長手軸中心にねじれが戻る方向（通常は反時計回り）に回転することで、ねじれを減す方法が考案された。この方法は釣りの際中いつでも手軽に行えて便利であるが、釣り糸は細く均一な色であるため、ねじれの状態が見えず正確にねじれを戻すことはできない。従って、糸のねじれがわかる釣り糸があれば、上記の方法で適切にねじれを戻すことが可能になり、ねじれによる糸の絡みは激減すると出願者は考える。
【手続補正２】
【補正対象書類名】図面
【補正対象項目名】図３
【補正方法】変更
【補正の内容】
【図３】
2020178677.tif 000018